(57)【要約】【課題】ミャク釣りに代わる仕掛けに適用できる釣用ウキで、ハゼ,カサゴ等の底物に適用でき、且つ根がかりを解消してオモリやラインを海に残すことがないだけでなく、魚の明確なアタリをとらえることのできる釣用ウキを提供する。【解決手段】樹脂製又は木製の棒状体からなるウキ本体２と、該ウキ本体２の下部に配設固定されるか、又は該ウキ本体２の下端外面に固着一体化される錘３と、該ウキ本体２の上部に貫通形成される通し孔２０と、を具備し、該錘３付きウキ本体２が棒状にして、海への投入により、該錘３側が下側になって、倒しても起き上がる起き上がり小法師状態で、海底に起立してなる。【選択図】図１
2012070706.tif 000002
【特許請求の範囲】
【請求項１】
樹脂製又は木製の棒状体からなるウキ本体（２）と、該ウキ本体の下部に配設固定されるか、又は該ウキ本体の下端外面に固着一体化される錘（３）と、該ウキ本体の上部に貫通形成される通し孔（２０）と、を具備し、該錘（３）付きウキ本体（２）が棒状にして、海への投入により、該錘側が下側になって、倒しても起き上がる起き上がり小法師状態で、海底に起立してなることを特徴とする釣用ウキ。
【請求項２】
前記ウキ本体の上部に、さらに板片状の舌片体（５）が、その板面を水平姿態から前方に向け下降傾斜する姿態で、張り出すようにして固着一体化されてなる請求項１記載の釣用ウキ。
【請求項３】
管中心を縦通する縦通孔が設けられた管状部材で、前記通し孔よりも外径が大きなゴム製又はエラストマー製の大径管部(６１)へ、該通し孔よりも外径が小さな小径管部（６２）が一体的につながり、該小径管部側を該通し孔に挿入することにより、該大径管部側がウキ本体の外周面から突き出す状態を残しながら、小径管部が通し孔を貫通しその先端部分がウキ本体よりも突出する別体のメインチューブ(６)を、さらに具備し、該ウキ本体よりも突出する小径管部の前記先端部分を掴んで、前記大径管部を弾性変形させて前記通し孔へ挿入し、該弾性変形の解除によって、通し孔へ挿入した該大径管部を、弾性復元力で該通し孔の孔壁に密着一体化できるようにした請求項１又は２記載の釣用ウキ。
【請求項４】
前記ウキ本体の外周面から前記通し孔に達する割り溝(２４)をさらに形成した請求項１乃至３のいずれか１項に記載の釣用ウキ。
【発明の詳細な説明】
【技術分野】
【０００１】
本発明は、堤防釣りなどで用いられる釣用ウキに関する。
【背景技術】
【０００２】
堤防等から海底周辺を回遊する魚を釣る堤防釣りには、ウキ釣りやミャク釣りがある。ミャク釣りは、竿から仕掛けに弛みがでないように仕掛け先端にオモリを取着し、竿先で魚のアタリをとりながら釣る手法である。
ミャク釣りの代表例としてハゼ釣りが挙げられるが、堤防等からのミャク釣りでは、重量10g〜25g程度のオモリが用いられる。仮にオモリなしで、釣り針と餌だけだと、目的場所へ投入するのが困難になり、さらに、狙う魚のタナ(遊泳層)に仕掛けを落とすことができなくなる。また、オモリは、海流により所望の場所に仕掛けをとどめるために、アンカーとしての役割も担っている。
【０００３】
ところで、底物といわれる魚(ハゼ,カサゴ等)は、魚自体が移動して餌を探す習性がなく、目の前を通り過ぎる餌を待ち、捕食する。したがって、釣り自体も投入した仕掛けを、魚を探して手前(自分の方)に仕掛けを巻き取りながら移動させ、捕食のタイミングを合わせ釣っている。
しかるに、斯かる釣り法の場合、海底に障害物が多く、仕掛け(特にオモリ)が引っ掛かってしまい、無理にラインを引っ張ってしまうことによりライン切れが起こすことが多い。仕掛け全体を失ってしまう事態に陥っている。
特に、ミャク釣りは手軽に始められる釣りであるがゆえに、その人口が非常に多く、数多くの仕掛けが海底に放棄されている。「秋口のハゼ釣り」や「春から初夏のキス釣り」などではたくさんのビギナーで賑わうが、ビギナーゆえに仕掛けのロストも増える傾向にある。
【０００４】
とりわけ、堤防には捨て石と呼ばれる堤防を形成するための基礎石が多く配される。また魚を集めるための魚礁も多く投入されている。さらにいえば、近年、身近に立ち入ることのできる海岸線に大型廃棄物(例えば盗難自転車)等が不法投棄されるケースも発生している。
こうした障害物が根がかりの原因になっている。釣人はこれら障害物を回避しながら釣りを強要されることになるが、時には一日の釣りで数十個の仕掛けを失うこともある。これが仕掛けの海洋汚染につながっている。仕掛けを形成する鉛製オモリが引き起こす問題、また放置されたラインが水鳥に絡むといった問題等にまで発展している。さらに、放置された釣り針が海で仕事する漁師や海女等に刺さってしまう問題や、スクリューにラインが絡まってしまう問題まで引き起こしている。
そこで、これまで根がかり対策技術がいくつか提案されてきた（例えば特許文献１,２）。
【先行技術文献】
【特許文献】
【０００５】
【特許文献１】特開２００２−１４２６２７号公報
【特許文献２】実用新案登録第３１４１６７１号公報
【発明の開示】
【発明が解決しようとする課題】
【０００６】
しかるに、特許文献１は、請求項１に記載のごとく「道糸の先端部に錘を連結するとともに、この錘に連結されたハリスの他端部を浮子付きの仕掛具本体に結着し、該仕掛具本体から垂下するハリスの先端部に取り付けた釣針が、海底から所定長離れた位置で浮遊することを特徴とする釣り用仕掛け。」にして、「海底から一定の高さに餌の位置を保ち、その餌を海中で浮遊させることによって回遊魚の釣果を高めた釣り用仕掛け」であって、ハゼ,カサゴ等の底物を狙うのにはあまり適さなかった。仮に、ハゼ,カサゴ等の底物に適用できたとしても、海底に着座する錘が依然として海底を這うため、ミャク釣り用根がかり対策として不十分であった。
特許文献２も仕掛け及び錘が海底を這い、また、３個以上の突起部からなる星形の仕掛けは絡みやすい形状であり、根がかりから逃れるのが難しいと考えられる。
【０００７】
本発明は、上記問題を解決するもので、ミャク釣りに代わる仕掛けに適用できる釣用ウキで、ハゼ,カサゴ等の底物に適用でき、且つ根がかりを解消してオモリやラインを海に残すことがないだけでなく、魚の明確なアタリをとらえることのできる釣用ウキを提供することを目的とする。
【課題を解決するための手段】
【０００８】
上記目的を達成すべく、請求項１に記載の発明の要旨は、樹脂製又は木製の棒状体からなるウキ本体（２）と、該ウキ本体の下部に配設固定されるか、又は該ウキ本体の下端外面に固着一体化される錘（３）と、該ウキ本体の上部に貫通形成される通し孔（２０）と、を具備し、該錘（３）付きウキ本体（２）が棒状にして、海への投入により、該錘側が下側になって、倒しても起き上がる起き上がり小法師状態で、海底に起立してなることを特徴とする釣用ウキにある。
ここで、「ウキ本体の下部」とは、海底に起立する釣用ウキの状態下で、ウキ本体に係る棒状体の下部をいう。「ウキ本体の下端外面」とは、海底に起立する釣用ウキの状態下で、ウキ本体に係る棒状体の下端外面をいう。「海への投入」や「海底に起立」の海,海底には汽水域の汽水,汽水底を含む。さらに一般河川の水,水底を含む。同様の作用効果が得られるからである。
請求項２の発明たる釣用ウキは、請求項１で、ウキ本体の上部に、さらに板片状の舌片体（５）が、その板面を水平姿態から前方に向け下降傾斜する姿態で、張り出すようにして固着一体化されてなることを特徴とする。
ここで、「その板面を水平姿態」の水平とは、海底に起立する釣用ウキの状態下で、水平横方向をいい、図２（イ）では紙面左右横方向をいう。
請求項３の発明たる釣用ウキは、請求項１又は２で、管中心を縦通する縦通孔が設けられた管状部材で、前記通し孔よりも外径が大きなゴム製又はエラストマー製の大径管部(６１)へ、該通し孔よりも外径が小さな小径管部（６２）が一体的につながり、該小径管部側を該通し孔に挿入することにより、該大径管部側がウキ本体の外周面から突き出す状態を残しながら、小径管部が通し孔を貫通しその先端部分がウキ本体よりも突出する別体のメインチューブ(６)を、さらに具備し、該ウキ本体よりも突出する小径管部の前記先端部分を掴んで、前記大径管部を弾性変形させて前記通し孔へ挿入し、該弾性変形の解除によって、通し孔へ挿入した該大径管部を、弾性復元力で該通し孔の孔壁に密着一体化できるようにしたことを特徴とする。請求項４の発明たる釣用ウキは、請求項１〜３で、ウキ本体の外周面から前記通し孔に達する割り溝(２４)をさらに形成したことを特徴とする。
【発明の効果】
【０００９】
本発明の釣用ウキは、根がかり問題を解決し、ハゼ,カサゴ等の底物に有効であるばかりか、魚の明確なアタリをとらえることができ、さらには投入時のハリスのカラミを防止し、短時間のウキ交換も可能になるなど多大な効を奏する。
【図面の簡単な説明】
【００１０】
【図１】実施形態１で、（イ）が釣用ウキの全体斜視図で、（ロ）が（イ）の釣用ウキの分解斜視図である。
【図２】（イ）が図１（イ）の正面図で、（ロ）がその平面図である。
【図３】舌片体がない図１の釣用ウキの使用説明図である。
【図４】図１の舌片体が付いた釣用ウキの使用説明図である。
【図５】図１〜図４と異なる他態様の釣用ウキの部分断面図で、（イ）がその分解説明図、（ロ）が正面図である。
【図６】実施形態２の釣用ウキで、(イ)が一部断面正面図、（ロ)が(イ)の部分拡大図である。
【図７】図１(イ)に対応する釣用ウキの一部破断斜視図である。
【図８】仕掛け投入時の対比説明図で、(イ)がメインチューブがない場合、(ロ)がメインチューブを有する場合である。
【図９】釣用ウキの側面図である。
【発明を実施するための形態】
【００１１】
以下、本発明に係る釣用ウキについて詳述する。
（１）実施形態１
図１〜図５は本発明の釣用ウキの一形態で、図１は（イ）がその全体斜視図で、（ロ）が（イ）の釣用ウキの分解斜視図、図２は(イ)が図１（イ）の正面図で、（ロ）がその平面図、図３は舌片体がない図１の釣用ウキの使用説明図、図４は図１の舌片体を付けた釣用ウキの使用説明図、図５は図１〜図４と異なる他態様の釣用ウキの部分断面図で、（イ）がその分解説明図、（ロ）が正面図である。尚、図３,図４では、釣用ウキを判りやすく大きく描くべく海面Ｗを便宜上海底Ｔに近くにしている。
【００１２】
釣用ウキ１はウキ本体２と錘３と発泡体４と舌片体５とを具備する。ウキ本体２は樹脂製又は木製の棒状体からなり、表面が滑面に仕上げられている。例えば、木製棒状体は中実でその表面を磨いて、また樹脂製ウキ本体２は中空棒状体にして、射出成形等によって成形された段階で、各パーツ表面がそのまま滑面に仕上がっている。
【００１３】
本実施形態のウキ本体２は、有底筒状の樹脂製胴体２ｂと、該胴体２ｂの上面開口Ｓ１に蓋をする樹脂製キャップ２ａとを備える。具体的にはポリプロピレン樹脂,ＡＢＳ樹脂やポリカーボネート樹脂等の樹脂製胴体２ｂ,キャップ２ａとする。
胴体２ｂは図１のごとく主部となる縦長円筒部２５に徐々に先細りとなる中空円錐部２６が延設される。該中空円錐部２６は円筒部２５の筒孔径を中空円錐部２６の先端部位で閉じ、やや尖った有底部を形成する。中空円錐部２６を棒ウキ先端の尖った部分に似せた格好になっている。
キャップ２ａは、てっぺんを丸くした中実円柱部の頭部２１と、該頭部２１の下縁部外周面から水平外方に張り出す外鍔と、該外鍔位置の頭部２１の下面中央部分から下方へ突き出し、その直径が前記胴体２ｂの上面開口Ｓ１にほぼ等しい中実円柱形の膨出部２３と、を備える。例えば、膨出部２３に接着剤等を塗った後、該膨出部２３を胴体２ｂの上面開口Ｓ１に嵌め、キャップ２ａで蓋をしたウキ本体２とする。胴体２ｂの有底筒状の筒内空間が密封された中空室Ｓとなって、海面Ｗに浮かぶ浮力の大きなウキになる。ウキ本体２の外形から一回り小さくして出来た中空室Ｓがウキ本体２の浮力を大きくする。ここでのウキ本体２は、錘３が内蔵される中空円錐部２６の先端側がウキ本体２の下方になり、胴体２ｂの上面開口Ｓ１側、キャップ２ａ側がウキ本体２の上方側となる。符号２３１は膨出部２３に形成する小突起で、通し孔２０の口の真下に設けられる。
【００１４】
錘３はウキ本体２の下部に配設固定されるか、又は該ウキ本体２の下端外面に固着一体化される比重の大きな金属製塊状品で、海面Ｗに浮く前記ウキ本体２に一体化して海水中に沈める役目を担う。そして、ウキ本体２が有する浮力に対し、錘３の重量バランスをとって、海への投入により海底Ｔで釣用ウキ１が起立するよう設定される。
本実施形態は、有底筒状胴体２ｂの上面開口Ｓ１を上向きにし、キャップ２ａで蓋をする前に、該上面開口Ｓ１から接着剤を付けた錘３を、胴体２ｂの筒内に投入して、ウキ本体２の中空室Ｓの下部に錘３を配設固定する。錘３がウキ本体２の中空下部に内蔵される。尚、これに代えて、錘３はウキ本体２の成形時にインサートし、錘３をウキ本体２の下部に埋設一体化することもできる。
【００１５】
また、前記ウキ本体２の上部には、通し孔２０が貫通形成される。該通し孔２０は釣糸９が通る孔となり、本釣用ウキ１は中通しウキになっている。本実施形態はキャップ２ａの頭部２１のほぼ中央に通し孔２０が貫通形成される。通し孔２０は、縦長の棒状ウキ本体２の縦方向に対し、直角方向に貫通する横孔になっている。
【００１６】
さらに、本実施形態は発泡体４を具備する。発泡体４は、中空室Ｓの下部に配設固定された錘３よりも上方の中空室Ｓに配設される。発泡体４をなしにして、胴体２ｂの上面開口Ｓ１をキャップ２ａで蓋をしてウキ本体２とすることもできる。ただ、錘３よりも上方の中空室Ｓに発泡体４を充填する方がより好ましい。発泡体４がないと、胴体２ｂとキャップ２ａとのシール性に万一不具合が生じ、海水等が中空室Ｓに侵入すると海底Ｔで釣用ウキ１が起立しなくなるからである。こうした状況下でも、発泡体４が存在しておれば、発泡体４が有する浮力でもって、海底Ｔでの釣用ウキ１の起立が保てるようになる。
【００１７】
発泡体４は発泡プラスチック,発泡ゴム,スポンジ等の多孔質体をいい、独立気泡性発泡体４がより好ましい。独立気泡はフォームセルを構成している気泡が気泡壁で囲まれており、その気泡内へは気体や液体が通らない。独立気泡性発泡体４は大部分が独立気泡で占められていることから、たとえ中空室Ｓ内に海水が侵入しても、発泡体４内への海水の侵入が困難となる。ウキ本体２の浮力維持が図られる。
ここでの発泡体４は、ポリエチレン,ポリプロピレン,ポリスチレン,ＡＢＳ,硬質ウレタン等の独立気泡フォームで造られる。中空室Ｓの全体容量から配設固定された錘３の分を引いた中空室Ｓの大きさで、中空室Ｓの横断面形状にほぼ等しい底円を有する円柱形発泡体４になっている(図１のロ)。
【００１８】
また、本実施形態はウキ本体２の上部に板片状の舌片体５が固着一体化される。舌片体５は、その板面を水平状態から前方に向け下降傾斜する状態でウキ本体２の上部に固定される(図２)。
具体的には、舌片体５は図１(ロ)のごとく靴篦のような形をした板片状体で、その基端部に、前記キャップ２ａの膨出部２３が嵌入する略円形開孔５０が設けられる。開孔５０には前記小突起２３１に対応する部位に、該小突起２３１に合わせた切欠部分５０１が形成される。該開孔５０に嵌入させた後の膨出部２３を胴体２ｂの上面開口Ｓ１内に嵌め込んで、舌片体５が胴体２ｂとキャップ２ａに挟着されてウキ本体２の上部に固定される(図１)。舌片体５は上面開口Ｓ１周りの胴体上端面２ｂ１とキャップ２ａの鍔部２２とに挟まれる。舌片体５の板面が、図２(イ)のごとく正面視で、ウキ本体２の上部から前方に向け下降傾斜する姿態で、該舌片体５がウキ本体２に固着一体化される。舌片体５は、ウキ本体２に固定される状況下、開孔５０周りの基端部５ｂが水平に配されるが、図２のようにウキ本体２から僅かに離れた箇所で屈折し、舌片主要部５ａが前方に向けて下降傾斜する。
舌片体５は、基端部５ｂから靴篦でいえば踵に当てる部分に相当する舌片主要部が、ウキ本体２から前方下降傾斜し、且つ平面視扇状に広がる(図２のロ)。さらに、舌片主要部５ａは、舌をすぼめるように、側面視中央部分５５を湾状にやや窪ませた形状とする(図９参照)。符号５１はその窪みを示す。
【００１９】
斯かるウキ本体２,錘３,発泡体４,舌片体５を具備する本釣用ウキ１は、例えば、胴体２ｂの上面開口Ｓ１から投入した錘３を中空室Ｓの下部に配設固定した後、その上に発泡体４を充填する。次いで、舌片体５の開孔５０を胴体２ｂの上面開口Ｓ１に合わせるようにして、該舌片体５を介在させてキャップ２ａで該胴体２ｂの上面開口Ｓ１に蓋をして完成する。舌片体５の切欠部分５０１にキャップ２ａの小突起２３１が嵌合して釣用ウキ１が完成することから、舌片体５の張り出し方向と通し孔２０の孔方向とが一致する。こうして出来た釣用ウキ１は、舌片体５の張り出し側を竿側になるよう通し孔２０に釣糸９を通して使用される(図４)。
【００２０】
かくのごとくして、前記ウキ本体２,錘３,発泡体４,舌片体５を具備する釣用ウキ１は、錘３付きウキ本体２が棒状にして、海への投入により、錘３側が下側になって、海底Ｔに倒しても起き上がる起き上がり小法師状態で起立する棒状ウキになっている。
詳しくは、ウキ本体２,錘３,発泡体４,舌片体５を具備する釣用ウキ１は、中空室Ｓを有する樹脂製ウキ本体２の浮力が極めて大きい。一方、ウキ本体２の下部に錘３を配設固定させているため、海中に入れると錘３の在る方(中空円錐部２６の方)を下にして沈み、海底Ｔに到達すると棒状の釣用ウキ１が倒れずに起立する(図４)。錘３は比重の高い真鍮,鉛等が使用される。ここで、投入後の沈下を速め、また浮き上がりを防ぐには錘３の重量を増やす方が好ましい。一方、錘３の重量の増加に伴い、重心が徐々に釣用ウキ１の上方へ移動し、海底Ｔで倒れ易くなったり起立できなくなったりする。そのため、本釣用ウキ１では限界重量の８０％前後に設定した重量の錘３を採用する。ここでいう限界重量とは海底Ｔで釣用ウキ１を倒した状態から起き上がることができるかできないかの分岐点における錘３の重量とする。いいかえれば、限界重量は、海底Ｔで起き上がり小坊師状態にある釣用ウキ１の錘３を徐々に増やしていって、起立状態に在る釣用ウキ１を倒しても、起き上がってくるぎりぎりの錘３の最大重量である。この最大重量(限界重量)を超える錘３になると、釣用ウキ１を倒すと自力で起き上がることができなくなる。
【００２１】
図５は他態様の釣用ウキ１で、(イ)が釣用ウキ１になる前のウキ本体２と錘３が別体になっている分解図、(ロ)が(イ)のウキ本体２と錘３とを一体化した後の一部断面正面図を示す。
このウキ本体２に係る胴体２ｂは、有底円筒状で、下端外面２８たる円形底板部の外面に凸部２８１が突出する。そして円錐形状にした錘３が用意される。錘３はその円錐底面を円形底板部２８に一致させ、且つ突起２８１に対応する位置に凹み３０を形成する。円形底板部２８又は錘３の円錐底面に接着剤を塗って、凸部２８１と凹み３０とを合わせ胴体２ｂと錘３とを接着すると、外形が図１の胴体２ｂとほぼ同じ形状になる。胴体２ｂに別体の錘３を後から接着固定させて、有底筒状の錘３付きウキ本体２になる。錘３はウキ本体２の下端外面２８に固着一体化される。他の構成は図１〜図４と同様で、その説明を省く。図５中、図１〜図４と同一符号は同一又は相当部分を示す。
【００２２】
（効果）
このように構成した釣用ウキ１は、錘３付きウキ本体２が棒状にして、海への投入により、該錘３側が下側になって、倒しても起き上がる起き上がり小法師状態で、海底Ｔに起立するので、魚を探して釣糸９を巻き取りながら仕掛けを手前(自分の方)に移動させても、障害物に引っ掛かる部分が少なく、ミャク釣りに代わる仕掛けとして重宝する。本釣用ウキ１を使用した場合、根がかりが起き難くなる(図３,図４)。
本釣用ウキ１は、一使用方法として、竿側から延びる道糸９１を通し孔２０に通し、その通した道糸９１の先端とハリスの針糸９２とをサルカンｋを介して結束する(図４)。舌片体５の張り出す側が竿側に配される。例えば、堤防釣りでは堤防からこの仕掛けを海へ投入し、その後、リールで釣糸９を図３,図４の矢印ごとく巻きながら釣針ｔｈに付けた餌が海底Ｔ又は海底Ｔ近くに潜むハゼ等の魚の前を移動するようにして、餌を捕食した魚を釣り上げる。図３は図１,図２の本釣用ウキ１から舌片体５をなしにしたものを示す。
ここで、本釣用ウキ１を用いた場合、錘３等が海底Ｔを這う特許文献１,２等と違って、海底Ｔに点接触状態になる。釣用ウキ１が接触する部分は図３,図４のごとく棒状の釣用ウキ１の中空円錐部２６の細く尖った先端部分だけとなる。したがって、海底Ｔを這うオモリ等が在るこれまでの仕掛けと違って、海底Ｔに在る障害物に引っ掛かる確率が極めて低くなる。リールで釣糸９を巻き取り、魚を探して仕掛けを手前(自分の方)に徐々に寄せても、図３,図４のように釣用ウキ１が立ったまま実線位置から白抜き矢印方向の鎖線位置へと移動するので、万一障害物に当たってもペン先のような尖った釣用ウキ１の先端部分しか触れず、障害物をかわしながら難なく移動できるようになる。さらにいえば、ウキ本体２の表面が滑面になっているので、障害物に当たっても滑るようにかわしていく。従来、障害物に仕掛け(特にオモリ)が引っ掛かってしまい、無理にラインを引っ張って、ライン切れさせてしまうことが多かったが、こうした事態を回避できる。根がかりを解消する釣用ウキ１であり、錘３やラインを海に残すことがない。環境にも優しい釣用ウキ１になる。これまでのように数多くの仕掛けが海底に放棄される事態も解消する。
【００２３】
そして、樹脂製又は木製の棒状体からなるウキ本体２と、該ウキ本体２の下部に配設固定されるか、又はウキ本体２の下端外面２８に固着一体化される錘３とを具備するので、錘３付きウキ本体２が棒状にして、海への投入により、錘３側が下側になって、倒しても起き上がる起き上がり小法師状態の本釣用ウキ１を簡単に作製できる。
また、ウキ本体２の上部に通し孔２０が貫通形成され、この通し孔２０に釣糸９を通す中通しウキにすることができるので、竿先で魚のアタリをとりながら釣るミャク釣りに打ってつけの釣用ウキ１になる。
【００２４】
さらに、ウキ本体２の上部に、さらに板片状の舌片体５が、その板面を水平姿態から前方に向け下降傾斜する姿態で、張り出すようにして固着一体化される釣用ウキ１にすると、竿から仕掛けに弛みがでないようにするのが容易になる(図４)。
詳述すると、以下のごとくである。本釣用ウキ１は空中での重量が11.3g〜22.6gの小型ウキになる。しかし、汎用オモリと違って、海中での釣用ウキ１のオモリ負荷は3g〜5g程度になる。これは釣用ウキ１を海底Ｔに立たせるための浮力が必要で、且つ該釣用ウキ１を沈めなければならない。ウキ本体２の浮力と錘３の重量が相殺され、海中での釣用ウキ１の実質的なオモリ負荷は空中における釣用ウキ１の重量の２０〜３０％となる。すなわち、空中で、11.3g〜22.6gの釣用ウキ１であっても、海中での釣用ウキ１のオモリ負荷は3g〜5g程度になり、このオモリ負荷が小さいことが投入後の糸フケを取りづらくしている。糸フケとはライン(道糸９１)が弛んでいる状態をいう。図３の鎖線矢印のごとく、糸フケを取るべく釣糸９を巻き取りながら仕掛けを手前(自分の方)に移動させると、時に、釣用ウキ１が海底Ｔから浮き上がってしまうことも考えられる。また、通常、海中でのオモリ負荷が10g程度であれば、糸フケが完了したかどうか素人でも判るが、本釣用ウキ１のようにオモリ負荷は3g〜5g程度になると判りづらくなる。
こうした問題を舌片体５が解決する。ウキ本体２の上部に、舌片体５が、その板面を水平姿態から前方に向け下降傾斜する姿態で、張り出すように設けられていると、釣糸９の巻き取りで、該舌片体５が海水の抵抗を受けるので、糸フケ完了が容易に判るようになる。また、リールで釣糸９を巻いても、舌片体５がウキ本体２の上部で、その板面を水平姿態から前方に向け下降傾斜する姿態で取り付けられているので、舌片体５の板面が海底Ｔ側に前傾し、ラインの図４に係る黒矢印方向への引っ張りが、舌片体５に前方下降傾斜方向の力を与え、抵抗力を生む。その結果、竿から仕掛け間の釣糸９の弛みを簡単に取ることができる。こうして、釣人は魚の明確なアタリをとらえることができる。と同時に、釣用ウキ１は、ウキ本体２の下端を海底Ｔに付けて起立したまま白抜き矢印方向に移動し(図４の鎖線の釣用ウキ１)、浮き上がり難くなる。極めて理にかなった釣用ウキ１になっている。
【００２５】
（２）実施形態２
本実施形態は図６〜図９ごとくの釣用ウキ１で、図６は(イ)が一部断面正面図、（ロ)が(イ)の部分拡大図、図７は図１(イ)に対応する釣用ウキ１の一部破断斜視図、図８は仕掛け投入時の対比説明図、図９は釣用ウキ１の側面図を示す。尚、図８のメインチューブ６は簡略図示する。
【００２６】
本釣用ウキ１は、図１,図２の釣用ウキ１に、さらにウキ本体２の外周面から通し孔２０に達する割り溝２４を設ける。加えて、別体のメインチューブ６を備える釣用ウキ１になっている。
割り溝２４は、図９のごとく起立した釣用ウキ１の状態で、キャップ２ａの頭部２１外面から水平横方向に切り込み、通し孔２０の孔壁を破って該通し孔２０に到達する。メインチューブ６を予め釣糸９に通しておけば、該割り溝２４を利用して、後付けで釣糸９に釣用ウキ１を取付けることができる構成にある。割り溝２４の溝幅は道糸９１を通し孔２０へ誘導するためのものであり、道糸９１が通過できる幅があれば足りる。通し孔２０を設けた釣用ウキ１の上部で、その外周面から通し孔２０に至る割り溝２４が設けられる。図面は分かり易くすべく該溝幅を強調して大きく描く。
本実施形態の通し孔２０の孔径は、割り溝２４の溝幅に比べると大きい。さらに、通し孔２０の孔径は該通し孔２０へのメインチューブ６の取付け易さ等を鑑み、実施形態１よりは若干大きめとする。
【００２７】
メインチューブ６は、管中心を縦通する縦通孔６０が設けられ、前記通し孔２０よりも外径が大きなゴム製又はエラストマー製の大径管部６１へ、該通し孔２０よりも外径が小さな小径管部６２が一体的につながる管状部材である。そして、小径管部６２側を通し孔２０に挿入することにより、大径管部６１側がウキ本体２の外周面から突き出す状態を残しながら、小径管部６２が通し孔２０を貫通しその先端部分６２１がウキ本体２よりも突出するメインチューブ６になっている。ウキ本体２よりも突出する小径管部６２の先端部分６２１を掴んで、大径管部６１を弾性変形させて通し孔２０へ挿入し、該弾性変形の解除によって、通し孔２０へ挿入した大径管部６１を、弾性復元力で通し孔２０の孔壁に密着一体化できるようにしている(図７)。
本実施形態は、大径管部６１の先端側へ、漏斗状テーパ部６３を介して小径管部６２が一体的につながり、且つ大径管部６１の基端側に該大径管部６１よりもさらに外径の大きなストッパ部６４を設けたメインチューブ６とする。本メインチューブ６は、ストッパ部６４がメインチューブ６の基端部分６５となり、小径管部６２の先端部分６２１が文字通りメインチューブ６の先端部分となる。
【００２８】
メインチューブ６は、大径管部６１だけをゴム製又はエラストマー製の弾性材料で形成するのでも足りるが、ここでは、メインチューブ６全体を合成ゴムからなる弾性材料で形成する。ゴム製又はエラストマー製の材料は、外力を加えたときその強さに応じて変形が生じ、外力を除去すると元の状態に戻る性質を有する材料である。例えば、天然ゴム,イソプレン系ゴム,ブタジエン系ゴム,オレフィン系ゴム,フッ素系ゴム及びシリコーンゴム等のゴム材料や、ポリスチレン系熱可塑性エラストマー,ポリオレフィン系熱可塑性エラストマー,ポリ塩化ビニル系熱可塑性エラストマー,ポリウレタン系熱可塑性エラストマー等の熱可塑性エラストマーなどが含まれる。軟らかくて粘り強く、よく伸びる物質で、且つ弾性変形可能なゴム材料がより好ましい。
【００２９】
本実施形態のメインチューブ６は、管中心を縦通する縦通孔６０が設けられた加硫ゴムの成形加工品である。既述のごとく大径管部６１の先端にテーパ部６３を延設し、さらに該テーパ部６３の先に小径管部６２を延設する一方、大径管部６１の基端に該大径管部６１よりも外径が大きな短筒状ストッパ部６４を延設するメインチューブ６になっている。ストッパ部６４は表面に凹凸を施す。縦通孔６０の孔径は、小径管部６２の孔径よりも大径管部６１の孔径が大きくなっているが、両孔径を等しくしてもよい。
小径管部６２の外径は通し孔２０の孔径よりも若干小さくして、図６のごとく小径管部６２側から通し孔２０に円滑挿入できる状態にある。一方、大径管部６１の外径は通し孔２０の孔径よりも大きくして、小径管部６２側から通し孔２０に挿入すると、大径管部６１の手前のテーパ部６３でつかえる状態にある。しかるに、大径管部６１は、ウキ本体２よりも突出する小径管部６２の先端部分を掴んで、又はこれと大径管部６１(又はストッパ部６４)とを掴んで、メインチューブ６が伸びるよう引っ張ると弾性変形で伸び、大径管部６１の当初外径が小さくなって、大径管部６１が通し孔２０に挿入可能になる。後は、引っ張りを弛めれば、弾性復元力で通し孔２０の孔壁に密着一体化し、メインチューブ６に釣用ウキ１を固定できるようになっている(図７)。
【００３０】
大径管部６１の長さは通し孔２０の長さがあればよい。割り溝２４付き釣用ウキ１を取付けられるからである。小径管部６２の長さは、小径管部６２側からメインチューブ６を通し孔２０に挿入した時、特にメインチューブ６に弾性変形を加えずとも、通し孔２０の出口側から該小径管部６２の先端部分６２１が突出する長さがある。さもないと、通し孔２０に小径管部６２を挿通状態にして、その先端部分６２１を掴み、メインチューブ６の大径管部６１を弾性変形で伸長させて、通し孔２０へ大径管部６１を導くことが困難になるからである。
【００３１】
テーパ部６３の長さは、大径管部６１と小径管部６２とを円滑連結できる長さがあれば足りる。テーパ部６３はなしでもよいが、本実施形態のようにテーパ部６３を設ける方がより好ましい。ゴム成形のし易さや、例えばメインチューブ６の両端を持って引っ張った時に、大径管部６１が弾性変形で円滑伸長しその径が細くなり易いからである。
基端部分６５たるストッパ部６４の長さは、小径管部６２側から通し孔２０に挿入し挿通状態にして、ストッパ部６４と、通し孔２０に通した出口側小径管部６２の先端部分６２１と、を掴んで引っ張る際に、掴む長さがあればよい。ストッパ部６４をなしにして、大径管部６１の基端部分(テーパ部６３につながる先端部分と反対側)を文字通りメインチューブ６の基端部分６５にすることができる。ただ、メインチューブ６の基端部分６５に本実施形態のようなストッパ部６４を設ける方がより好ましい。釣り時の遠投で極めて大きな遠心力が万一働いても、釣用ウキ１の抜け落ち防止が確実に図られるからである。
【００３２】
（効果）
このように構成した釣用ウキ１は、実施形態１の効果に加え、釣用ウキ１に割り溝２４とメインチューブ６とを有するので、釣りを行う際、形状,大きさの異なった数種類の釣用ウキ１を用意すれば、海況に応じた釣用ウキ１の交換が円滑に進む。予め道糸９１にメインチューブ６を通しておけば、所望の釣用ウキ１を後付けで割り溝２４を利用して着脱自在に取付けられる。道糸９１を切ることなく、刻一刻と変わる海の状況に素早く順応でき、実施形態１の釣用ウキ１よりも一段と優れものになる。
予め道糸９１を縦通孔６０に通したメインチューブ６への釣用ウキ１の取付けも、いたって簡単である。メインチューブ６の小径管部６２側近くの釣糸９を、割り溝２４を利用して通し孔２０内に導く。次いで、小径管部６２を通し孔２０に差し込んで、小径管部６２の先端部分６２１が通し孔２０をウキ本体２よりも突出する図６の状態とする。後は、ウキ本体２よりも突出する小径管部６２の該先端部分６２１を掴んで、大径管部６１を弾性変形させて通し孔２０へ挿入し、該弾性変形の解除によって、通し孔２０へ挿入した大径管部６１を弾性復元力で通し孔２０の孔壁に密着一体化させるだけである。
海の状況は刻一刻と変化する。これまでの汎用海底ウキは、その都度、釣糸９を切って時間,手間をかけて交換しなければならなかった。釣糸９もその都度捨てられていく。一方、本釣用ウキ１は、海の状況変化を見て、上述のごとく迅速にウキ交換が可能である。釣糸９を切ることがないので、環境にも優しい釣用ウキ１となる。切られた釣糸で海を汚すこともなくなる。
【００３３】
さらに、図８のような釣糸９に予め通したメインチューブ６に釣用ウキ１を取付ければ、堤防等からの投入時にハリスのからみを解消できる。
釣りにはハリスがウキやオモリ、さらに道糸９１にからむ問題があり、実施形態１の釣用ウキ１でも、図８(イ)のごとく堤防からのハリス投入時に道糸９１にからむ虞がある。通常、からみの確率を下げるべく金属製テンピン等が用いられている。しかるに、このテンビンをウキ本体２の上部に取り付けると釣用ウキ１が倒れてしまう。金属製に代えて樹脂製にすることも考えられるが、樹脂製にすると岩等に当たると衝撃で割れる問題がある。
本実施形態は、メインチューブ６をウキ本体２に取着する釣用ウキ１にすることによって、釣用ウキ１の海底Ｔでの起立状態を保つことができ、且つ堤防からのハリス投入時の飛行姿勢が図８(ロ)のようになり、ハリスのからみ防止にも役立つ。起立するウキ本体２に対し、弾性復元力の大きいゴム製(又はエラストマー製)の大径管部６１を横方向に通すことによってテンビン効果が生まれ、からみが軽減する。ゴムの比重は約1.1で、重心移動は殆どなく、また岩にあたってもゴム製メインチューブ６であることから壊れる心配がない。むしろ、岩にあたった際、メインチューブ６が弾性変形してクッション効果を発揮し、衝撃を緩和する。
加えて、図７の鎖線図示のごとく塩ビ等の樹脂製パイプ７をメインチューブ６の一端側へ差し込んだ釣用ウキ１とすると、からみ止め防止効果が一段とアップする。ここで、樹脂製パイプ７を使用するが、メインチューブ６と一緒に用いているので、該パイプが岩等に当たっても、まず先に、メインチューブ６に係る大径管部６１等のゴム製(又はエラストマー製)部分が弾性変形で屈曲して衝撃を吸収してしまう。メインチューブ６が樹脂製パイプの破損を回避する。図７中、符号７１は樹脂製パイプの主要部、符号７２は保護部を示す。
【００３４】
尚、本発明においては前記実施形態に示すものに限られず、目的,用途に応じて本発明の範囲で種々変更できる。釣用ウキ１,ウキ本体２,錘３,発泡体４,舌片体５,メインチューブ６等の形状,大きさ,個数,材質等は用途に合わせて適宜選択できる。
【符号の説明】
【００３５】
１            釣用ウキ
２            ウキ本体
２０          通し孔
２４          割り溝
２８          下端外面
３            錘
５            舌片体
６            メインチューブ
６０          縦通孔
６１          大径管部
６２          小径管部
６２１        先端部分
Ｔ            海底
【図１】
2012070706.tif 000003
【図２】
2012070706.tif 000004
【図３】
2012070706.tif 000005
【図４】
2012070706.tif 000006
【図５】
2012070706.tif 000007
【図６】
2012070706.tif 000008
【図７】
2012070706.tif 000009
【図８】
2012070706.tif 000010
【図９】
2012070706.tif 000011